(57)【要約】     【課題】  消費者、会員、特約店及びカード発行銀行すべてが恩恵を得る名刺兼用のチケット付クレジットカードを用いた経営システムを提供する。      【解決手段】  名刺兼用の チケット付クレジットカードに個人識別コードを付け、該チケット付クレジットカードの申請受理がされない場合は一般会員となり、該一般会員が前記チケット付クレジットカードを使用して優待商品を消費した場合に所定の割戻し金が一般会員に戻とともに前記一般会員が優待商品の所定数を消費した場合にはチケット付クレジットカードの申請受理がなされて特別会員となり、該特別会員が優待商品の所定数を消費場合には超特別会員に昇格し、逆に、前記特別会員が優待商品の所定数を消費できない場合には一般会員に降格することを特徴とする名刺兼用のチケット付クレジットカードを用いた経営システム。【選択図】図１  
2005084851.tif 000002
【特許請求の範囲】
【請求項１】
名刺兼用のチッケット付クレジットカードに個人識別コードを付け、該チッケット付クレジットカードの申請受理がされない場合は一般会員となり、該一般会員が前記チッケット付クレジットカードを使用して優待商品を消費した場合に所定の割戻し金が一般会員に戻とともに前記一般会員が優待商品の所定数を消費した場合にはチッケット付クレジットカードの申請受理がなされて特別会員となり、該特別会員が優待商品の所定数を消費場合には超特別会員に昇格し、逆に、前記特別会員が優待商品の所定数を消費できない場合には一般会員に降格することを特徴とする名刺兼用のチッケット付クレジットカードを用いた経営システム。
【発明の詳細な説明】
【技術分野】
【０００１】
本発明は、名刺兼用のチッケット付クレジットカードを用いた経営システムに関するもので、特に、個人の識別コードの付いた名刺やチケット、並びに、クレジットカード申請受理の有無に合わせて商品の販売を促進する経営システムの技術分野に属する。
【背景技術】
【０００２】
従来公知の名刺は、個人の身分を簡単に紹介しただけのもので、クレジットカードは消費の道具というだけのものであり、どちらにも就業機会を作り出したり、商品の販売を促進すしたり、利益を得たり、生活の糧となる機能はない。
更に、消費者は、カード申請によってもらえる景品が目的で、景品をもらうと、カードを停止したり、破棄してしい、手間ばかりがかかり効果は半減し、そして、これらは資源を無駄に使って環境保護にも良くない。
【０００３】
クレジットカードを利用して販売促進をするビジネス特許は、例えば、特許文献１に開示されているが、クレジットカードとチッケットや名刺とを組み合わせたビジネスモデルはなく、販売促進を促すビジネスモデルも提示されていない。他方、今日、事業を興すにも、仕事に就くにも資金やコネ、担保が必要なだけでなく、専門的技能や才能が必要であり、さもなければ、長時間の知能や労力を売り、そして運も必要とする。また、低所得者や罹災者及び低学歴者、或いは中高年失業者である社会的弱者は、良好な就業機会を得ることが困難であり、個人や企業を売り込む名刺をチッケットとするビジネスモデルも提示されていない。
【特許文献１】特開２００２−２４６７３号公報
【発明の開示】
【発明が解決しようとする課題】
【０００４】
このため、本発明は、上述の問題を改善し、カード申請によって景品をもらっても、カードを停止したり破棄してしまうことがなく、更に、優待商品の販売を促進する経営システムを提供することを課題とする。
【課題を解決するための手段】
【０００５】
上記課題を達成するために、本発明は、名刺兼用のチッケット付クレジットカードに個人識別コードを付け、該名刺兼用のチッケット付クレジットカードの申請受理がされない場合は一般会員となり、該一般会員が前記チッケット付クレジットカードを使用して優待商品を消費した場合に所定の割戻し金が一般会員に戻とともに前記一般会員が優待商品の所定数を消費した場合にはチッケット付クレジットカードの申請受理がなされて特別会員となり、該特別会員が優待商品の所定数を消費場合には超特別会員に昇格し、逆に、前記特別会員が優待商品の所定数を消費できない場合には一般会員に降格することを特徴とする名刺兼用のチッケット付クレジットカードを用いた経営システムである。
【発明の効果】
【０００６】
本発明の名刺兼用のチッケット付クレジットカードを用いた経営システムは、名刺に個人識別コードを付け、クレジットカード申請受理如何によらず、新しい管理システムを運用し、優待商品を販売するもので、これによって、消費者、会員、特約店及びカード発行銀行がすべて恩恵を受けるもので、特に、名刺とチケットとを兼用することで、無料で個人や企業を売り込むことができ、低所得者、罹災者及び失業者を即座に職に就かせて生活を改善することにも役立つという効果を有する。
【発明を実施するための最良の形態】
【０００７】
名刺を兼用したチケットとクレジットカードを用いた経営システムの方法は、特約写真プリントチェーン店がカード発行銀行と協力し、個人のクレジットカードを発行する。消費者は、カード申請受理如何に関わらず、異なる等級の会員となり、異なるレベルの優待を受けることができる。優待の内容は、写真プリントによる割戻金及び個人識別コードが付いたチケット兼用の名刺である。名刺に設置されたコードによってこの管理システムを運営する。このように、消費者、会員、特約店、発行銀行のすべてが恩恵を受けるという目的を実現できる。
【実施例１】
【０００８】
実施例１を図１のブロック図を用いて説明すると、スッテップＳ１で、顧客甲(会員甲)は特約店に於いて、特約銀行のクレジットカード申し込み用紙に書き込み、平行して、身分証明のコピー及び個人通帳のコピーを提出すると、受理したか否にかかわりなく即座にいずれかの階級の会員となる。
スッテップＳ１で、特約銀行クレジットカードを申請し、受理されない場合は、スッテップＳ２に進み、一般会員でありＡ級会員の資格が与えられ、スッテップＳ３に進み、その場で５０枚の名刺兼用のチケット(例えば、図２)を受け取る。次に、スッテップＳ４に進むでチケットを使用することになるが、この名刺兼用のチケットは写真プリント４×６サイズをフィルム本数及び枚数に関わりなく、すべて優待価格である１６８台湾ドル（日本円約５０４円）/フィルム（市場価格は２６０台湾ドル（日本円約７８０円）/フィルム）でプリントできるサービスを受けられ、更に、会員甲は割戻金２０台湾ドル(日本円約６０円)を得る。
会員甲が受け取った名刺兼用のチケットは顧客乙が使用して消費してもよく、この場合はスッテップＳ３からスッテップＳ５に進み、使用したチッケット分だけはスッテップＳ４に戻り会員甲は割戻金２０台湾ドル(日本円約６０円)を得る。
【０００９】
ここで、顧客乙は、スッテップＳ５で、会員甲とは別に特約銀行のクレジットカード申し込み用紙に書き込み、平行して、身分証明のコピー及び個人通帳のコピーを提出していずれかの階級の会員となり、その場で５０枚の名刺兼用のチケット(例えば、図２)を受け取り、そして、特約銀行クレジットカードを申請し、スッテップＳ６で、受理されない場合は、スッテップＳ３に進み、会員甲と同様の一般会員でありＡ級会員の資格が与えられ、以後は会員甲と同様のスッテップで処理される。また、この場合に、乙会員が得たチッケットを使用した場合でも、スッテップＳ７に示すように、使用したチッケット分だけはスッテップＳ４に戻り会員甲は割戻金２０台湾ドル(日本円約６０円)を得る。
また、チッケットの所定枚数の５０枚を使い切ると、スッテップＳ８以下の一般会員(Ａ級会員)から特別会員(Ｂ級会員)に昇格するスッテップに移行する。
【００１０】
ここで、改めて、一般会員である[Ａ級会員]について説明すると、以下のようなものである。
入会資格：
（１）特約店に於いて、特約銀行クレジットカードを申請したが、まだ受理通知を受けていない申請者は、すべて一般会員であるＡ級会員とする。
（２）罹災者、もしくは低所得者、又は公益慈善団体の会員はクレジットカードの申請をする必要がなく、直接Ａ級会員となる。
優待内容：
（１）その場で一箱５０枚入りの個人識別コード入り会員名刺をもらうことができる。それはある申請者が（以後甲とする）得たチッケット（名刺）箱数は、甲のチッケットを持って入会する人数となる。
（２）どの人も甲や乙、丙．．．のチッケット（名刺）を持って特約店へ行き（乙、丙．．．は、甲の会員名刺で入会申込みをする）、１６８台湾ドル（日本円約５０４円）の写真プリントをすると、２０台湾ドル（日本円約６０円）の割戻金が甲の指定口座に振り込まれる。乙、丙が継続して利用すると、甲は継続して割戻金を得ることができる。
【００１１】
次に、スッテップＳ１で、特約銀行クレジットカードを申請し、受理された場合はスッテップＳ８に進み、更に、スッテップＳ９で特別会員であるＢ級会員の資格が与えられる。
Ｂ級会員となると、スッテップＳ１０ではＡ級会員と同じ優待内容であるが、割戻金は２５台湾ドル（日本円約７５円）に上がる。また、平行してスッテップＳ１１ではＢ級会員が特約銀行のクレジットカードを一年に１２回使用するか、もしくは類型で６万台湾ドル（日本円約１８万円）以上の消費をした者は、スッテップＳ１２に進み自動的に超特別会員であるＣ級会員となり、スッテップＳ１２では、Ａ級会員と同じ優待内容であるが、割戻金が３０台湾ドル（日本円約９０円）に上がるという特典が与えられる。
しかし、スッテップＳ１０、スッテップＳ１１の使用状況を監視し、スッテップＳ１４で連続して３ヶ月間（９０日）特約店で申請したクレジットカードを使用しなかった場合、スッテップＳ１５に進み、自動的にＡ級会員に格下げとなる。その後、継続してカードを使用すれば、スッテップＳ１６に進み旧会員等級が回復する。
【００１２】
ここで、改めて、特別会員である[Ｂ級会員]、超特別会員である［Ｃ級会員について説明すると、以下のようなものである。
［Ｂ級会員］
入会資格：特約店に於いて、特約銀行のクレジットカードが受理された者をＢ級会員とする。
優待内容：Ａ級会員と同じ優待内容であるが、割戻金は２５台湾ドル（日本円約７５円）に上がる。
［Ｃ級会員］
入会資格：Ｂ級会員が特約銀行のクレジットカードを一年に１２回使用するか、もしくは類型で６万台湾ドル（日本円約１８万円）以上の消費をした者は、自動的にＣ級会員となる。
優待内容：Ａ級会員と同じ優待内容であるが、割戻金が３０台湾ドル（日本円約９０円）に上がる。
【００１３】
特別会員である[Ｂ級会員]、超特別会員である［Ｃ級会員]の資格についてまとめれば次のようになる。
（１）      Ｂ級、Ｃ級会員が連続して３ヶ月間（９０日）特約店で申請したクレジットカードを使用しなかった場合、自動的にＡ級会員に格下げとなる。その後、継続してカードを使用すれば、会員等級が回復する。
（２）      一枚の会員名刺で、一本のフィルムをプリントできる（有効期限は一年から一年半とする）。この名刺を使用すると、特約店は記帳し、消費者はその名刺を特約店に渡す。
（３）      会員名刺には、必ず個人識別コードがなければならず、その印刷内容、形状及び材質においては、必要に応じてデザインする。
（４）      当システムは、別にメディアを利用して求人を行えば、会員数が一気に増大し、資金ゼロで事業を興し、失業を減少させる。
（５）      当システムは、多数の特約銀行と契約できる。会員が得る名刺の箱数と特約銀行の数は正比例する。
（６）      当システムは、その他金融カード方式で申請したり、もしくは顧客別に会員等級を類別することができる。例として現金カード、代償カード、三種混合カード、一般顧客、ＶIＰカード．．．等。
（７）      当システムはその他チェーンシステムに適用でき、物流宅配を使い、同時に如何なる販売商品にも利用することができる。例として、結婚写真、保険、美容院、チケット販売、先物取引、生活必需品．．．等。
（８）      毎月１５日を割戻金の締め日とする。１０００台湾ドル（日本円約三千円）以上において、２５日に送金する。送金手数料は割戻金から引く。２５日が休日の場合は、翌日を送金日とする。
【００１４】
本発明の実施例は、個人の識別コードの付いた名刺兼用のチケット、並びにクレジットカード申請受理の有無に合わせて新しい管理システムを運用し、従来フィルムを４ｘ６サイズでプリント販売するもので、通常の名刺にある広告効果だけでなく、更にプリント費用を節約し、そして利益を得ることもできるという多重効果を具える。消費者は、特約店でクレジットカードを申請し、そのクレジットカードを積極的に利用する。
そのため、クレジットカード申請における景品をもらうことだけが目的で、カード申請をしなかったり、カードを得た後もそのカードを使わなかったり、たくさんカードがあるので、分けて使用したり、更には使用しないでカード破棄してしまう等々の状況を減らすことができ、銀行のカード発行量及び発行利益を高めることができる。名刺を配ることによって、特約店は知名度が高まり、写真プリント量及び名刺印刷量も増加する。更に特約銀行が与えるクレジットカード発行代行のコミッションも得ることができる。
【００１５】
この名刺兼用のチケット付クレジットカードを用いた経営システムは、個人が特約銀行のクレジットカードを申請し（低所得者及び罹災者はこの手続を免除する）、カード申請受理如何によらず、投資金の必要なく、勤める必要もなく、特別な技能も必要とせず、在庫を抱える必要もなく、セールスをする必要もなく、ただ第三者に利得のある名刺を配るだけで、無料で個人や企業を売り込むことができる。これにより、資金がなくても、失業から遠ざかり、リスクがなく、時間と空間を持つことができる上に、収入は日ごとに増えるという新しい事業が可能となる。
【産業上の利用可能性】
【００１６】
本発明の名刺兼用のチケットとクレジットカードを結びつけた経営システムは、いかなる販売商品にも適用できる。
【図面の簡単な説明】
【００１７】
【図１】本発明の実施例のシステム流れ図である。
【図２】本発明の実施例の個人識別コード入り名刺兼用のチケットの平面図である。
【図１】
2005084851.tif 000003
【図２】
2005084851.tif 000004
【手続補正書】
【提出日】平成15年9月8日(2003.9.8)
【手続補正１】
【補正対象書類名】特許請求の範囲
【補正対象項目名】全文
【補正方法】変更
【補正の内容】
【特許請求の範囲】
【請求項１】
名刺兼用のチケット付クレジットカードに個人識別コードを付け、該チケット付クレジットカードの申請受理がされない場合は一般会員となり、該一般会員が前記チケット付クレジットカードを使用して優待商品を消費した場合に所定の割戻し金が一般会員に戻とともに前記一般会員が優待商品の所定数を消費した場合にはチケット付クレジットカードの申請受理がなされて特別会員となり、該特別会員が優待商品の所定数を消費場合には超特別会員に昇格し、逆に、前記特別会員が優待商品の所定数を消費できない場合には一般会員に降格することを特徴とする名刺兼用のチケット付クレジットカードを用いた経営システム。
【手続補正２】
【補正対象書類名】明細書
【補正対象項目名】全文
【補正方法】変更
【補正の内容】
【発明の詳細な説明】
【技術分野】
【０００１】
本発明は、名刺兼用のチケット付クレジットカードを用いた経営システムに関するもので、特に、個人の識別コードの付いた名刺やチケット、並びに、クレジットカード申請受理の有無に合わせて商品の販売を促進する経営システムの技術分野に属する。
【背景技術】
【０００２】
従来公知の名刺は、個人の身分を簡単に紹介しただけのもので、クレジットカードは消費の道具というだけのものであり、どちらにも就業機会を作り出したり、商品の販売を促進すしたり、利益を得たり、生活の糧となる機能はない。
更に、消費者は、カード申請によってもらえる景品が目的で、景品をもらうと、カードを停止したり、破棄してしい、手間ばかりがかかり効果は半減し、そして、これらは資源を無駄に使って環境保護にも良くない。
【０００３】
クレジットカードを利用して販売促進をするビジネス特許は、例えば、特許文献１に開示されているが、クレジットカードとチケットや名刺とを組み合わせたビジネスモデルはなく、販売促進を促すビジネスモデルも提示されていない。他方、今日、事業を興すにも、仕事に就くにも資金やコネ、担保が必要なだけでなく、専門的技能や才能が必要であり、さもなければ、長時間の知能や労力を売り、そして運も必要とする。また、低所得者や罹災者及び低学歴者、或いは中高年失業者である社会的弱者は、良好な就業機会を得ることが困難であり、個人や企業を売り込む名刺をチケットとするビジネスモデルも提示されていない。
【特許文献１】特開２００２−２４６７３号公報
【発明の開示】
【発明が解決しようとする課題】
【０００４】
このため、本発明は、上述の問題を改善し、カード申請によって景品をもらっても、カードを停止したり破棄してしまうことがなく、更に、優待商品の販売を促進する経営システムを提供することを課題とする。
【課題を解決するための手段】
【０００５】
上記課題を達成するために、本発明は、名刺兼用のチケット付クレジットカードに個人識別コードを付け、該名刺兼用のチケット付クレジットカードの申請受理がされない場合は一般会員となり、該一般会員が前記チケット付クレジットカードを使用して優待商品を消費した場合に所定の割戻し金が一般会員に戻とともに前記一般会員が優待商品の所定数を消費した場合にはチケット付クレジットカードの申請受理がなされて特別会員となり、該特別会員が優待商品の所定数を消費場合には超特別会員に昇格し、逆に、前記特別会員が優待商品の所定数を消費できない場合には一般会員に降格することを特徴とする名刺兼用のチケット付クレジットカードを用いた経営システムである。
【発明の効果】
【０００６】
本発明の名刺兼用のチケット付クレジットカードを用いた経営システムは、名刺に個人識別コードを付け、クレジットカード申請受理如何によらず、新しい管理システムを運用し、優待商品を販売するもので、これによって、消費者、会員、特約店及びカード発行銀行がすべて恩恵を受けるもので、特に、名刺とチケットとを兼用することで、無料で個人や企業を売り込むことができ、低所得者、罹災者及び失業者を即座に職に就かせて生活を改善することにも役立つという効果を有する。
【発明を実施するための最良の形態】
【０００７】
名刺を兼用したチケットとクレジットカードを用いた経営システムの方法は、特約写真プリントチェーン店がカード発行銀行と協力し、個人のクレジットカードを発行する。消費者は、カード申請受理如何に関わらず、異なる等級の会員となり、異なるレベルの優待を受けることができる。優待の内容は、写真プリントによる割戻金及び個人識別コードが付いたチケット兼用の名刺である。名刺に設置されたコードによってこの管理システムを運営する。このように、消費者、会員、特約店、発行銀行のすべてが恩恵を受けるという目的を実現できる。
【実施例１】
【０００８】
実施例１を図１のブロック図を用いて説明すると、ステップＳ１で、顧客甲(会員甲)は特約店に於いて、特約銀行のクレジットカード申し込み用紙に書き込み、平行して、身分証明のコピー及び個人通帳のコピーを提出すると、受理したか否にかかわりなく即座にいずれかの階級の会員となる。
ステップＳ１で、特約銀行クレジットカードを申請し、受理されない場合は、ステップＳ２に進み、一般会員でありＡ級会員の資格が与えられ、ステップＳ３に進み、その場で５０枚の名刺兼用のチケット(例えば、図２)を受け取る。次に、ステップＳ４に進むでチケットを使用することになるが、この名刺兼用のチケットは写真プリント４×６サイズをフィルム本数及び枚数に関わりなく、すべて優待価格である１６８台湾ドル（日本円約５０４円）/フィルム（市場価格は２６０台湾ドル（日本円約７８０円）/フィルム）でプリントできるサービスを受けられ、更に、会員甲は割戻金２０台湾ドル(日本円約６０円)を得る。
会員甲が受け取った名刺兼用のチケットは顧客乙が使用して消費してもよく、この場合はステップＳ３からステップＳ５に進み、使用したチケット分だけはステップＳ４に戻り会員甲は割戻金２０台湾ドル(日本円約６０円)を得る。
【０００９】
ここで、顧客乙は、ステップＳ５で、会員甲とは別に特約銀行のクレジットカード申し込み用紙に書き込み、平行して、身分証明のコピー及び個人通帳のコピーを提出していずれかの階級の会員となり、その場で５０枚の名刺兼用のチケット(例えば、図２)を受け取り、そして、特約銀行クレジットカードを申請し、ステップＳ６で、受理されない場合は、ステップＳ３に進み、会員甲と同様の一般会員でありＡ級会員の資格が与えられ、以後は会員甲と同様のステップで処理される。また、この場合に、乙会員が得たチケットを使用した場合でも、ステップＳ７に示すように、使用したチケット分だけはステップＳ４に戻り会員甲は割戻金２０台湾ドル(日本円約６０円)を得る。
また、チケットの所定枚数の５０枚を使い切ると、ステップＳ８以下の一般会員(Ａ級会員)から特別会員(Ｂ級会員)に昇格するステップに移行する。
【００１０】
ここで、改めて、一般会員である[Ａ級会員]について説明すると、以下のようなものである。
入会資格：
（１）特約店に於いて、特約銀行クレジットカードを申請したが、まだ受理通知を受けていない申請者は、すべて一般会員であるＡ級会員とする。
（２）罹災者、もしくは低所得者、又は公益慈善団体の会員はクレジットカードの申請をする必要がなく、直接Ａ級会員となる。
優待内容：
（１）その場で一箱５０枚入りの個人識別コード入り会員名刺をもらうことができる。それはある申請者が（以後甲とする）得たチケット（名刺）箱数は、甲のチケットを持って入会する人数となる。
（２）どの人も甲や乙、丙．．．のチケット（名刺）を持って特約店へ行き（乙、丙．．．は、甲の会員名刺で入会申込みをする）、１６８台湾ドル（日本円約５０４円）の写真プリントをすると、２０台湾ドル（日本円約６０円）の割戻金が甲の指定口座に振り込まれる。乙、丙が継続して利用すると、甲は継続して割戻金を得ることができる。
【００１１】
次に、ステップＳ１で、特約銀行クレジットカードを申請し、受理された場合はステップＳ８に進み、更に、ステップＳ９で特別会員であるＢ級会員の資格が与えられる。
Ｂ級会員となると、ステップＳ１０ではＡ級会員と同じ優待内容であるが、割戻金は２５台湾ドル（日本円約７５円）に上がる。また、平行してステップＳ１１ではＢ級会員が特約銀行のクレジットカードを一年に１２回使用するか、もしくは類型で６万台湾ドル（日本円約１８万円）以上の消費をした者は、ステップＳ１２に進み自動的に超特別会員であるＣ級会員となり、ステップＳ１２では、Ａ級会員と同じ優待内容であるが、割戻金が３０台湾ドル（日本円約９０円）に上がるという特典が与えられる。
しかし、ステップＳ１０、ステップＳ１１の使用状況を監視し、ステップＳ１４で連続して３ヶ月間（９０日）特約店で申請したクレジットカードを使用しなかった場合、ステップＳ１５に進み、自動的にＡ級会員に格下げとなる。その後、継続してカードを使用すれば、ステップＳ１６に進み旧会員等級が回復する。
【００１２】
ここで、改めて、特別会員である[Ｂ級会員]、超特別会員である［Ｃ級会員について説明すると、以下のようなものである。
［Ｂ級会員］
入会資格：特約店に於いて、特約銀行のクレジットカードが受理された者をＢ級会員とする。
優待内容：Ａ級会員と同じ優待内容であるが、割戻金は２５台湾ドル（日本円約７５円）に上がる。
［Ｃ級会員］
入会資格：Ｂ級会員が特約銀行のクレジットカードを一年に１２回使用するか、もしくは類型で６万台湾ドル（日本円約１８万円）以上の消費をした者は、自動的にＣ級会員となる。
優待内容：Ａ級会員と同じ優待内容であるが、割戻金が３０台湾ドル（日本円約９０円）に上がる。
【００１３】
特別会員である[Ｂ級会員]、超特別会員である［Ｃ級会員]の資格についてまとめれば次のようになる。
（１） Ｂ級、Ｃ級会員が連続して３ヶ月間（９０日）特約店で申請したクレジットカードを使用しなかった場合、自動的にＡ級会員に格下げとなる。その後、継続してカードを使用すれば、会員等級が回復する。
（２） 一枚の会員名刺で、一本のフィルムをプリントできる（有効期限は一年から一年半とする）。この名刺を使用すると、特約店は記帳し、消費者はその名刺を特約店に渡す。
（３） 会員名刺には、必ず個人識別コードがなければならず、その印刷内容、形状及び材質においては、必要に応じてデザインする。
（４） 当システムは、別にメディアを利用して求人を行えば、会員数が一気に増大し、資金ゼロで事業を興し、失業を減少させる。
（５） 当システムは、多数の特約銀行と契約できる。会員が得る名刺の箱数と特約銀行の数は正比例する。
（６） 当システムは、その他金融カード方式で申請したり、もしくは顧客別に会員等級を類別することができる。例として現金カード、代償カード、三種混合カード、一般顧客、ＶIＰカード．．．等。
（７） 当システムはその他チェーンシステムに適用でき、物流宅配を使い、同時に如何なる販売商品にも利用することができる。例として、結婚写真、保険、美容院、チケット販売、先物取引、生活必需品．．．等。
（８） 毎月１５日を割戻金の締め日とする。１０００台湾ドル（日本円約三千円）以上において、２５日に送金する。送金手数料は割戻金から引く。２５日が休日の場合は、翌日を送金日とする。
【００１４】
本発明の実施例は、個人の識別コードの付いた名刺兼用のチケット、並びにクレジットカード申請受理の有無に合わせて新しい管理システムを運用し、従来フィルムを４×６サイズでプリント販売するもので、通常の名刺にある広告効果だけでなく、更にプリント費用を節約し、そして利益を得ることもできるという多重効果を具える。消費者は、特約店でクレジットカードを申請し、そのクレジットカードを積極的に利用する。
そのため、クレジットカード申請における景品をもらうことだけが目的で、カード申請をしなかったり、カードを得た後もそのカードを使わなかったり、たくさんカードがあるので、分けて使用したり、更には使用しないでカード破棄してしまう等々の状況を減らすことができ、銀行のカード発行量及び発行利益を高めることができる。名刺を配ることによって、特約店は知名度が高まり、写真プリント量及び名刺印刷量も増加する。更に特約銀行が与えるクレジットカード発行代行のコミッションも得ることができる。
【００１５】
この名刺兼用のチケット付クレジットカードを用いた経営システムは、個人が特約銀行のクレジットカードを申請し（低所得者及び罹災者はこの手続を免除する）、カード申請受理如何によらず、投資金の必要なく、勤める必要もなく、特別な技能も必要とせず、在庫を抱える必要もなく、セールスをする必要もなく、ただ第三者に利得のある名刺を配るだけで、無料で個人や企業を売り込むことができる。これにより、資金がなくても、失業から遠ざかり、リスクがなく、時間と空間を持つことができる上に、収入は日ごとに増えるという新しい事業が可能となる。
【産業上の利用可能性】
【００１６】
本発明の名刺兼用のチケットとクレジットカードを結びつけた経営システムは、いかなる販売商品にも適用できる。
【図面の簡単な説明】
【００１７】
【図１】本発明の実施例のシステム流れ図である。
【図２】本発明の実施例の個人識別コード入り名刺兼用のチケットの平面図である。